(57)【特許請求の範囲】
【請求項１】
被検眼に対して斜め前方から位置合わせ用の光を照射しその前記被検眼による反射光を検出する、前記被検眼の中心軸方向の位置合わせのための位置合わせ光学系と、
被検眼に対して斜め前方から撮影用のスリット状の照明光を照射する第一の照明光学系と、
前記第一の照明光学系から照射された照明光による前記被検眼からの角膜細胞の反射像を受像して撮影する第一の撮影光学系と、
前記被検眼の中心軸に対して前記第一の照明光学系とは反対側であって、かつ、前記被検眼に対して斜め前方から、撮影用のスリット状の照明光を照射する第二の照明光学系と、前記第二の照明光学系から照射された照明光による前記被検眼からの角膜細胞の反射像を受像して撮影する第二の撮影光学系と、を具備する眼球撮影装置。
【請求項２】
前記第一の照明光学系による照明光軸と前記第二の照明光学系による照明光軸とが、前記被検眼の中心軸に対して略対称であることを特徴とする、請求項１記載の眼球撮影装置。
【請求項３】
一の撮像素子が、前記第一の撮影光学系と前記第二の撮影光学系とに共用されており、前記第一の照明光学系の照明光と前記第二の照明光学系の照明光とが時間差を設けて照射されることを特徴とする、請求項１又は請求項２記載の眼球撮影装置。
【請求項４】
一の光源が、前記第一の照明光学系と前記第二の照明光学系とに共用されていることを特徴とする、請求項１乃至請求項３記載の眼球撮影装置。
【請求項５】
前記第一の照明光学系の光源が第一のストロボ光源であり、前記第二の照明光学系の光源が第二のストロボ光源であり、該第一のストロボ光源と前記第二のストロボ光源の発光を制御する光源制御手段によって該第一のストロボ光源と該第二のストロボ光源とを時間差を設けて発光させるようにしたことを特徴とする、請求項１乃至請求項３記載の眼球撮影装置。
【発明の詳細な説明】
【０００１】
【発明の属する技術分野】
この出願に係る発明は、眼科診断において、患者の被検眼の異常等の検出を主な目的として被検眼を撮影する装置に関する。
【０００２】
【従来の技術】
図９は、眼科医療において従来使用されてきた、患者の被検眼１５０を撮影するための角膜撮影装置１００の概略構成を示すものである。まず、撮影しようとする被検眼１５０の所定位置に対して、周知の手順により眼球撮影装置１００のＸ軸方向、Ｙ軸方向のアライメント、Ｚ軸方向の位置合わせが行われる。図９中の上下方向がＸ軸方向、紙面に垂直な方向がＹ軸方向、左右方向がＺ軸方向である。図９において、ランプとレンズとスリット状の視野絞りとからなるランプ装置１０１と位置検出センサ１０４とは、眼球撮影装置１００のＺ軸方向の位置を被検眼１５０の所望の撮影部位１５１（図９に示される例にあっては、１５１は角膜にあたる）への位置合わせに用いられる。そして、眼球撮影装置１００のアライメントが行われた後に、被検眼１５０の撮影部位１５１の撮影が行われる。従来の眼球撮影装置１００により撮影が行われる概略は以下の通りである。
【０００３】
一つのフラッシュランプ１０５とスリット１０６とにより形成されるスリット状の光が、光軸１３０に沿ってレンズ１１０を介して撮影部位１５１に照明光として照射される。そして、該照明光の撮影部位１５１による反射によって形成された反射像は、光軸１３１に沿ってレンズ１１１を通ってコールドミラー１１２により反射され視野絞り１１３に結像する。そして、リレーレンズ１１４により拡大された前記反射像がミラー１１５を介して一つのＣＣＤカメラ１１６により撮影され、被検眼の撮影部位１５１の撮影画像が記録される。
【０００４】
図１０は、被検眼の撮影画像の一例としての角膜内皮細胞の撮影画像を示している。図１０において、１２１のように閉じた輪郭線により囲まれる部分は、角膜内皮の一つの細胞に相当する部分である。そして、従来より、図１０に示されるような被検眼の撮影画像は、一つの細胞の大きさや平面的な形状の判断等に用いられ、被検眼の眼科診断に供されている。
【０００５】
【発明が解決しようとする課題】
ここで、上記撮影画像には、図１０から判るように、細胞の輪郭線１２１の他、１２２に示されるような明暗の分布が形成される領域も認められる。かかる撮影画像中の明暗は、細胞の凹凸や細胞の屈折率差等の各被検眼の性状を反映して形成されると推察される。従って、かかる撮影画像中の明暗の形成等について、さらに詳しい情報を得ることができると、被検眼の異常の存在等に関するより高度な眼科診断上の判断を可能にできる。
【０００６】
しかし、従来の眼球撮影装置にあっては、図９に示されるように、一方向からのみ被検眼を照明し、一つのＣＣＤカメラにより撮影画像を得る構成である。そのため、例えば、撮影画像中の前記明暗の分布が、細胞の凹凸に起因して形成されるのか、細胞の屈折率に起因して形成されるのか等をより詳しく判別することができず、より高度な眼科診断を必ずしも行えない。
【０００７】
そこで、本発明は、前記撮影画像に基づく被検眼のより高度な眼科診断を可能にする眼球撮影装置を提供することを目的としている。
【０００８】
【課題を解決するための手段】
上記課題を解決するため、本発明にかかる眼球撮影装置は、被検眼に対して斜め前方から位置合わせ用の光を照射しその前記被検眼による反射光を検出する、前記被検眼の中心軸方向の位置合わせのための位置合わせ光学系と、被検眼に対して斜め前方から撮影用のスリット状の照明光を照射する第一の照明光学系と、前記第一の照明光学系から照射された照明光による前記被検眼からの角膜細胞の反射像を受像して撮影する第一の撮影光学系と、前記被検眼の中心軸に対して前記第一の照明光学系とは反対側であって、かつ、前記被検眼に対して斜め前方から、撮影用のスリット状の照明光を照射する第二の照明光学系と、前記第二の照明光学系から照射された照明光による前記被検眼からの角膜細胞の反射像を受像して撮影する第二の撮影光学系と、を具備する眼球撮影装置である（請求項１）。前記第一の照明光学系から照射される照明光（以後、「第一照明光」という）により被検眼が照明されて形成される前記反射像（以後、「第一反射像」という）は、前記第一の撮影光学系に受像され撮影される。一方、前記第二の照明光学系から照射される照明光（以後、「第二照明光」という）により被検眼が照明されて形成される前記反射像（以後、「第二反射像」という）は、前記第二の撮影光学系に受像され撮影される。これにより、前記第一の撮影光学系により撮影される前記第一反射像と前記第二の撮影光学系により撮影される第二反射像とによって、被検眼の観察したい部位を、異なる二つの方向から観察することができる。そして、第一反射像と第二反射像とを比較することにより、これらの撮影画像の明暗が、撮影部位の凹凸により形成されたか、屈折率差等により形成されたか等の判別も可能になる。
【０００９】
また、上記眼球撮影装置において、第一の撮影光学系の光軸の被検眼の中心軸に対する角度が第一の照明光学系の光軸の前記中心軸に対する角度より小さくなるように第一の撮影光学系と第一の照明光学系とを構成し、第二の撮影光学系の光軸の前記中心軸に対する角度が第二の照明光学系の光軸の前記中心軸に対する角度より小さくなるように第二の撮影光学系と第二の照明光学系とを構成することができる。そして、第一の撮影光学系に備わる対物レンズが、少なくとも被検眼からの反射像を形成する光線のうち前記中心軸について第一の照明光学系の光軸と対称方向へ向かうものを受光しうる口径を備えてなり、第二の撮影光学系に備わる対物レンズが、少なくとも被検眼からの反射像を形成する光線のうち前記中心軸について第二の照明光学系の光軸と対称方向へ向かうものを受光しうる口径を備える構成とすることができる。眼球撮影装置をかかる構成とすることにより、より広い視野に渡って鮮明な撮影画像を得ることができる。
【００１０】
また、本発明にかかる眼球撮影装置は、前記第一の照明光学系による照明光軸と前記第二の照明光学系による照明光軸とが、前記被検眼の中心軸に対して略対称であることを特徴としている（請求項２）。
【００１１】
これにより、前記被検眼の撮影部位に対する前記第一照明光による照明と前記第二照明光による照明とが略均等な条件によりなされるので、前記第一、第二の撮影光学系に得られる前記第一反射像と第二反射像との比較が容易である。
【００１２】
また、本発明の眼球撮影装置は、一の撮像素子が、前記第一の撮影光学系と前記第二の撮影光学系とに共用されており、前記第一の照明光学系の照明光と前記第二の照明光学系の照明光とが時間差を設けて照射されることを特徴としている（請求項３）。これにより、前記第一、第二の撮影光学系を小型に構成することができるので、眼球撮影装置の全体を小型に構成することができる。
【００１３】
また、本発明の眼球撮影装置は、一の光源が、前記第一の照明光学系と前記第二の照明光学系とに共用されていることを特徴としている（請求項４）。これにより、前記第一、第二の照明光学系を小型に構成することができるので、眼球撮影装置の全体を小型に構成することができる。
【００１４】
また、本発明の眼球撮影装置は、前記第一の照明光学系の光源が第一のストロボ光源であり、前記第二の照明光学系の光源が第二のストロボ光源であり、前記第一のストロボ光源と前記第二のストロボ光源の発光を制御する光源制御手段によって前記第一のストロボ光源と前記第二のストロボ光源とを時間差を設けて発光させるようにしたことを特徴としている（請求項５）。これにより、被検眼に対する第一照明光の照射およびこれに伴う第一の撮影光学系による第一反射像の撮影と、被検眼に対する第二照明光の照射およびこれに伴う第二の撮影光学系による第二反射像の撮影とが時間的に異なるタイミングにより行われる。そのため、第一の撮影光学系に対する前記第一反射像以外の光の回り込みにより生ずる不要な光を減少させることができ、また、第二の撮影光学系に対する前記第二反射像以外の光の回り込みにより生ずる不要な光を減少させることができる。
【００１５】
【発明の実施の形態】
本発明の実施の形態を図１乃至図８に基づいて説明する。
【００１６】
まず、本発明の第一実施形態を図１、図２に基づいて説明する。
【００１７】
図１は、本願発明の第一実施形態としての眼球撮影装置１の概略構成を示している。
【００１８】
眼球撮影装置１は、第一のストロボ光源としての第一フラッシュランプ１１ａと第一照明絞り１２ａと第一照明用レンズ１３ａとを備えて構成される第一の照明光学系と、第二のストロボ光源としての第二フラッシュランプ１１ｂと第二照明絞り１２ｂと第二照明用レンズ１３ｂとを備えて構成される第二の照明光学系と、第一撮影レンズ１４ａと第一撮影視野絞り１６ａと第一リレーレンズ１７ａと第一カメラ１９ａとを備えて構成される第一の撮影光学系と、第二撮影レンズ１４ｂと第二撮影視野絞り１６ｂと第二リレーレンズ１７ｂと第二カメラ１９ｂとを備えて構成される第二の撮影光学系とを備えている。
【００１９】
また、ランプ２２と照明視野絞り２３とを備えるランプ装置２１と位置検出センサ２４とは、被検眼５０の撮影したい角膜の部位５１に対して眼球撮影装置１のＺ軸方向の位置合わせに用いられる。即ち、ランプ装置２１より照射される光をホットミラー２５により反射させ光軸３０Ｂに沿って被検眼５０を照明しながら、眼球撮影装置１をＺ軸方向に移動させつつ光軸３１Ｂに沿って被検眼５０からの反射光を位置検出センサー２４により検出する。そして、その検出信号により眼球撮影装置１を撮影部位５１のＺ軸方向の位置に位置合わせできるようになっている。なお、図１において、上下方向がＸ軸方向、紙面に垂直な方向がＹ軸方向、左右方向がＺ軸方向である。また、眼球撮影装置１の撮影部位５１に対するＸ軸方向、Ｙ軸方向のアライメントは周知の手順により行われる。
【００２０】
第一の照明光学系に備わるフラッシュランプ１１ａは、眼球撮影装置１において被検眼５０の斜め前方に設けられる。
【００２１】
フラッシュランプ１１ａより照射された光は、照明絞り１２ａによりスリット状の光に形成される。そして、かかるスリット状の光は、第一照明光として光軸３０Ａに沿ってレンズ１３ａを通って被検眼５０の撮影部位５１へ照射される。
【００２２】
そして、撮影部位５１への第一照明光の照射に対して撮影部位５１の反射により形成される第一反射像は、図１に示される光軸３１Ａに沿って、前記第一撮影光学系により受像される。かかる光軸３１Ａは、前記Ｚ軸と平行をなす被検眼５０の中心軸３５について光軸３０Ａに対して対称をなす関係にある。前記第一反射像は、以下のように第一の撮影光学系により受像される。即ち、前記第一反射像は、光軸３１Ａに沿って第一撮影レンズ１４ａに導かれ、反射ミラー１５ａ−２により反射され第一撮影視野絞り１６ａに結像される。そして、反射ミラー１８ａによる反射を介して第一カメラ１９ａにより受像され撮影される。このカメラ１９ａにより撮影される前記第一反射像は、視野絞り１６ａの結像をリレーレンズ１７ａにより適当に拡大されたものである。なお、第一カメラ１９ａは、図１に示す例ではＣＣＤカメラにより構成しており、点灯するフラッシュランプ１１ａの発光に対して形成される前記反射像を、フラッシュランプ１１ａの発光に同期して撮影画像として記録できるようになっている。
【００２３】
また、第二の照明光学系は、前記中心軸３５に対して前記第一の照明光学系の反対側に略対称に設けられており、光軸３０Ｂに沿って第二照明光を撮影部位５１へ照射する。そして、第一照射光が撮影部位５１へ入射する光軸３０Ａの角度θ１が、第二照射光が前記撮影部位５１に入射する光軸３０Ｂの角度θ２より若干大きくなるように構成されており、かかる構成を採用することにより、第二の照明光学系の光軸３０Ｂと第一の撮影光学系の光軸３１Ａとを分離している。
【００２４】
第二の照明光学系に備わる各部材は、第一の照明光学系に備わる各部材と同じである。即ち、フラッシュランプ１１ｂと照明絞り１２ｂとにより形成されたスリット状の光が第二照明光として光軸３０Ｂに沿ってレンズ１３ｂにより撮影部位５１へ照射され、撮影部位５１の反射による第二反射像が形成される。
【００２５】
そして、前記第二の撮影光学系は、前記撮影部位５１の第二反射像を光軸３１Ｂに沿って受像する。かかる光軸３１Ｂは、中心軸３５について光軸３０Ｂに対して対称をなす関係にある。
【００２６】
かかる第二の撮影光学系に備わる各部材は、第一の撮影光学系に備わる各部材と同じである。即ち、前記第二反射像は、光軸３１Ｂに沿って、第二撮影レンズ１４ｂを通ってコールドミラー１５ｂにより反射され第一撮影視野絞り１６ｂに結像される。そして、リレーレンズ１７ｂにより拡大された前記第二反射像は、反射ミラー１８ｂを介してＣＣＤカメラを備えてなる第二カメラ１９ｂにより受像されて撮影される。
【００２７】
また、眼球撮影装置１には、図示していない光源制御手段が接続されるが、該光源制御手段を、前記第一のストロボ光源と前記第二のストロボ光源の発光のタイミングを個別に制御できるように構成される特定光源制御手段とすることができる。かかる特定光源制御手段により、前記第一のストロボ光源と第二のストロボ光源とを、時間差を設けて発光させることもできるようになっている。
【００２８】
この眼球撮影装置１による前記第一照明光と前記第二照明光の照射は、図２に示されるように、一つの撮影部位５１への同一位置への照射である。従って、前記二つの撮影光学系により撮影される前記第一反射像と前記第二反射像とにより、同一部位を異なる二つの方向から観察できることになる。これにより、第一反射像と第二反射像とを比較することにより、これらの撮影画像の明暗が、撮影部位５１の凹凸により形成されたか、屈折率差等により形成されたか等の判別を可能にできる。
【００２９】
次に、図３に基づいて、本発明の第二実施形態である眼球撮影装置２について説明する。
【００３０】
図３は、眼球撮影装置２の光学系を示している。
【００３１】
眼球撮影装置２は、眼球撮影装置１と同じように、第一の照明光学系と第二の照明光学系と第一の撮影光学系と第二の撮影光学系とを備えている。
【００３２】
そして、撮影部位５２に第一照明光を照射するための第一の照明光学系の各部材は眼球撮影装置１のそれと同じであり、撮影部位５２の第一反射像を受像するための第一の撮影光学系の各部材は眼球撮影装置１のそれと同じである。また、撮影部位５３に第二照明光を照射するための第二の照明光学系の各部材は眼球撮影装置１のそれと同じであり、撮影部位５３の第二反射像を受像するための第二の撮影光学系の各部材は眼球撮影装置１のそれと同じである。
【００３３】
ただし、眼球撮影装置２に備わる上記の各部材について、図３に示すように、第一の照明光学系の光軸４０Ａと第二の照明光学系の光軸４０Ｂとが中心軸３５に対して対称となるように（θ３＝θ４）、これらの光学系を構成する前記各部材が配設されている。また、第一の撮影光学系の光軸４１Ａと第二の撮影光学系の光軸４１Ｂとが図３に示すように中心軸３５に対して対称となるように、これらの光学系を構成する前記各部材が配設されている。
【００３４】
また、図３に示されるように、第一の撮影光学系の光軸４１Ａの中心軸３５に対する角度が第一の照明光学系の光軸４０Ａの中心軸３５に対する角度より小さくなるように構成され、第二の撮影光学系の光軸４１Ｂの中心軸３５に対する角度が第二の照明光学系の光軸４０Ｂの中心軸３５に対する角度より小さくなるように構成されている。そして、第一撮影レンズ１４ａとして少なくとも第一反射像を形成する光線のうち中心軸３５について第一の照明光学系の光軸４０Ａと対称方向へ向かうものを受光しうる口径を備えるものを用いることができ、第二撮影レンズ１４ｂとして少なくとも第二反射像を形成する光線のうち中心軸３５について第二の照明光学系の光軸４０Ｂと対称方向へ向かうものを受光しうる口径を備えるものを用いることができる。かかる構成を採用すると、より広い視野に渡って鮮明な撮影画像を得ることができる。即ち、本出願人が先に出願した特開平０７−７９９２５に説明したごとく、中心軸３５に対して撮影光学系の光軸の角度を、対応する照明光学系の光軸の角度より小さく配置することで、より広い視野に渡って鮮明な画像が得られるのである。従って、本第二実施形態のように二組の撮影光学系および照明光学系を対称に重ねて配置する場合には、図３のように中心軸に近い側に撮影光学系の光軸４１Ａ、４１Ｂを、また、中心軸に遠い側に照明光学系の光軸４０Ａ、４０Ｂを配置するのが有利である。
【００３５】
また、前記特定光源制御手段を、眼球撮影装置２の光源制御手段として接続することもできる。
【００３６】
この眼球撮影装置２にあっては、前記第一照明光が照射される撮影部位５２の位置と前記第二照明光が照射される撮影部位５３の位置とが図４に示されるように被検眼５０の中心軸３５に対してＸ軸方向の反対側へ互いにずれるように、第一の照明光学系、第二の照明光学系を構成することができる。かかる構成を採用すると、前記二つの撮影光学系により撮影される前記第一反射像と前記第二反射像とにより、比較的に広範囲で角膜を撮影することができる。また、前記撮影部位５２と撮影部位５３とがほぼ重複する位置となるように、第一の照明光学系、第二の照明光学系を構成してもよい。かかる構成とすると、前記眼球撮影装置１と同様に、被検眼の同一の撮影部位５１を異なる二つの方向から観察、撮影することができる。
【００３７】
次に、図５に基づいて、本発明の第三実施形態である眼球撮影装置３について説明する。
【００３８】
図５は、眼球撮影装置３の光学系を示している。
【００３９】
眼球撮影装置３は、前記眼球撮影装置１と同じように、第一の照明光学系と第二の照明光学系と第一の撮影光学系と第二の撮影光学系とを備えて構成されている。
【００４０】
この眼球撮影装置３の光学系にあっては、眼球撮影装置１における第一の照明光学系の光軸３０Ａと第二の撮影光学系の光軸３１Ｂとを一つの光軸６０Ａにより共用し、第二の照明光学系の光軸３０Ｂと第一の撮影光学系の光軸３１Ａとを一つの光軸６１Ａにより共用するように構成されている。即ち、眼球撮影装置３は、前記眼球撮影装置１における第一照明レンズ１３ａと第二撮影レンズ１４ｂとを一つの第一共用レンズ３３ａにより共用し、前記眼球撮影装置１における第二照明レンズ１３ｂと第一撮影レンズ１４ａとを一つの第二共用レンズ３３ｂにより共用する構成である。そして、第一の照明光学系を構成するフラッシュランプ１１ａと照明絞り１２ａとにより形成されるスリット状の第一照明光は、ハーフミラー３４ａにより反射され光軸６０Ａに沿って撮影部位５１へと導かれるようになっている。また、第二の照明光学系を構成するフラッシュランプ１１ｂと照明絞り１２ｂとにより形成されるスリット状の第二照明光は、ハーフミラー３４ｂにより反射され光軸６１Ａに沿って撮影部位５１へと導かれるようになっている。
【００４１】
また、ランプ装置２１によるＺ軸方向の位置合わせ用の光が、コールドミラー１５ａ−１を透過して光軸６１Ａに沿って撮影部位５１へと導かれるようになっている。
【００４２】
そして、前記光軸６０Ａと光軸６１Ａとは、中心軸３５に対して対称をなすように光学系が構成されている。
【００４３】
この眼球撮影装置３によると、照明光学系の光軸と撮影光学系の光軸とを共用する構成を取るので、眼球撮影装置を比較的に小型に構成することができる。
【００４４】
また、前記特定光源制御手段を、眼球撮影装置３の光源制御手段として接続することもできる。眼球撮影装置３について、該特定光源制御手段を接続することは、特に以下の意義がある。
【００４５】
前記特定光源制御手段により、前記第一のストロボ光源と前記第二のストロボ光源とを時間差を設けて発光させると、第一照明レンズ１３ａと第二撮影レンズ１４ｂとを共用し、第二照明レンズ１３ｂと第二撮影レンズ１４ａとを共用する構成において、前記第一カメラ１９ａおよび第二カメラ１９ｂに対する望ましくない光の入射を防ぐことができる。即ち、第一カメラ１９ａによる第一反射像の撮影に際して、フラッシュランプ１１ａのみを発光させ、フラッシュランプ１１ｂを発光させないようにすると、第一カメラ１９ａに対する第一反射像以外の不要な光の回り込み等を極めて減少させることができる。このようにして、第一の撮影光学系、第二の撮影光学系により撮影される第一反射像、第二反射像について、撮影部位５１の性状をより反映する正確さの高いものを得ることもできる。次に、図６に基づいて、本発明の第四実施形態である眼球撮影装置４について説明する。図６は、眼球撮影装置４の光学系を示している。
【００４６】
眼球撮影装置４は、眼球撮影装置１と同じように、第一の照明光学系と第二の照明光学系と第一の撮影光学系と第二の撮影光学系とを備えている。
【００４７】
この眼球撮影装置４は、前記眼球撮影装置３と同じように、第一の照明光学系の第一照明レンズと第二の撮影光学系の第二撮影レンズとを一つの第一共用レンズ３３ａにより共用している。また、第二の照明光学系の第二照明レンズと第一の撮影光学系の第一撮影レンズとを一つの第二共用レンズ３３ｂにより共用している。
【００４８】
眼球撮影装置４にあっては、図６に示されるように、第一の照明光学系を構成するフラッシュランプ１１ａと照明絞り１２ａとにより形成されるスリット状の第一照明光は、ミラー３６ａとミラー３７ａとにより反射され、その主光線が経路７０Ａに沿うようにレンズ３３ａを通って撮影部位５１へと導かれる。そして、撮影部位５１により形成される第一反射像は、図６に示されるように、光軸７１Ａに沿って導かれ、第一の撮影光学系に受像される。また、図６に示されるように、第二の照明光学系を構成するフラッシュランプ１１ｂと照明絞り１２ｂとにより形成されるスリット状の第二照明光は、ミラー３６ｂとミラー３７ｂとにより反射され、その主光線が経路７０Ｂに沿うようにレンズ３３ｂを通って撮影部位５１へと導かれる。そして、撮影部位５１により形成される第二反射像は、図６に示されるように、光軸７１Ｂに沿って導かれ、第二撮影光学系に受像される。
【００４９】
この眼球撮影装置４は、第一照明光学系の前記経路７０Ａと第二照明光学系の前記経路７０Ｂとが中心軸３５に対して対称になるように光学系が構成されている。また、前記第一の撮影光学系の光軸７１Ａと前記第二の撮影光学系の光軸７１Ｂとが中心軸３５に対して対称になるように光学系が構成されている。そして、前記経路７０Ａが、中心軸３５に対して前記光軸７１Ｂの外側に位置するように光学系が構成されており、これにより、第二の撮影光学系の光軸７１Ｂから第一照明光の主光線の経路を分離できるようになっている。
【００５０】
また、前記経路７０Ｂが、中心軸３５に対して前記光軸７１Ａの外側に位置するように光学系が構成されており、これにより、第一の撮影光学系の光軸７１Ａから第二照明光の主光線の経路を分離できるようになっている。
【００５１】
この眼球撮影装置４にあっては、第一の撮影光学系の第一カメラと第二の撮影光学系の第二カメラとを一つのカメラ１９により共用する構成を取っている。即ち、図６に示すように、ミラー１５ａ−２により反射される第一反射像およびコールドミラー１５ｂにより反射される第二反射像を反射ミラー３９を介して一つのカメラ１９により撮影するように構成される。なお、このカメラ１９による第一、第二反射像の撮影が、視野絞り１６ａ、１６ｂの結像をリレーレンズ１７ａ、１７ｂにより適当に拡大してなされることは、眼球撮影装置１と同じである。そして、図６に示す例では、第一反射像がカメラ１９の撮像素子のＸ軸方向の下半分の領域により、第二反射像がカメラ１９の撮像素子のＸ軸方向の上半分の領域により撮影されるように構成している。これにより、撮影部位５１についての前記二つの反射像を一つのカメラにより撮影することができる。
【００５２】
かかる眼球撮影装置４によれば、第一照明レンズと第二撮影レンズとを共用し、第二照明レンズと第一撮影レンズとを共用する構成であり、また、第一カメラと第二カメラとを共用する構成であるので、眼球撮影装置を比較的に小型に構成することができる。
【００５３】
また、前記特定光源制御手段を、眼球撮影装置４の光源制御手段として接続することもできる。
【００５４】
次に、図７に基づいて、本発明の第五実施形態である眼球撮影装置５について説明する。図７は、眼球撮影装置５の光学系を示している。
【００５５】
眼球撮影装置５は、前記眼球撮影装置１と同じように、第一の照明光学系と第二の照明光学系と第一の撮影光学系と第二の撮影光学系とを備えている。また、眼球撮影装置５の光学系は、前記眼球撮影装置３と同じように、眼球撮影装置１における第一の照明光学系の光軸３０Ａと第二の撮影光学系の光軸３１Ｂとを一つの光軸８０Ａにより共用し、第二の照明光学系の光軸３０Ｂと第一の撮影光学系の光軸３１Ａとを一つの光軸８１Ａにより共用するように構成されている。
【００５６】
また、この眼球撮影装置５にあっては、第一の照明光学系と第二の照明光学系の光源を一つのフラッシュランプ１１により構成している。即ち、図７に示すように、フラッシュランプ１１が被検眼の真正面の中心軸３５上に設けられ、視野絞り１２ａ、１２ｂとによって形成される第一照明光、第二照明光は、各々にハーフミラー３８ａ、３８ｂにより反射され、光軸８０Ａ、８１Ａに沿って、撮影部位５１へ照射される。かかる光軸８０Ａと８１Ａとは、中心軸３５に対して対称をなすように光学系が構成されている。
【００５７】
この眼球撮影装置５によると、照明光学系の光軸と撮影光学系の光軸とを共用する構成を取り、かつ、二つの照明光学系に対する光源を一つで共用する構成を取るので、眼球撮影装置を比較的に小型に構成することができる。
【００５８】
以上に説明したように、前記眼球撮影装置１乃至眼球撮影装置５によると、第一反射像と第二反射像との比較によって、これらの撮影画像の明暗が、撮影部位５１の凹凸により形成されたか、屈折率差等により形成されたか等の判別を可能にできる。
【００５９】
また、眼球撮影装置１乃至眼球撮影装置５について、第一の照明光学系と第二の照明光学系とは、被検眼５０の中心軸３５に対して、対称であるか少なくとも略対称となるように構成されるので、角膜の撮影部位５１に対する前記第一照明光による照明と前記第二照明光による照明とを略均等な条件とすることができ、前記第一、第二の撮影光学系に得られる前記第一反射像と第二反射像との比較が容易である。
【００６０】
次に、図８により、本発明の眼球撮影装置により角膜内皮細胞の同一の部位について得られた二つの撮影画像の一具体例について説明する。
【００６１】
図８（ａ）は眼球撮影装置の第一の撮影光学系により得られた角膜内皮細胞の撮影画像であり、図８（ｂ）は第二の撮影光学系により得られた角膜内皮細胞の撮影画像である。角膜内皮の各細胞について、（ａ）と（ｂ）とを比較すると、例えば、領域９１は明暗の分布が略同一であるが、領域９２については異なっている。この結果から、領域９１については屈折率差により撮影画像の明暗が形成されており、領域９２については凹凸の存在が推察される。
【００６２】
なお、この発明の実施の形態にあっては、撮影部位に角膜を選ぶ例を挙げて説明したが、撮影部位を角膜以外の被検眼の各部、例えば、水晶体についても、本発明の眼球撮影装置を適用できる。
【００６３】
【発明の効果】
以上のように、請求項１記載の発明は、前記第一、第二の照明光学系と前記第一、第二の撮影光学系とを備えて眼球撮影装置を構成するので、得られた前記第一反射像と第二反射像とを比較することにより、これらの撮影画像の明暗が、撮影部位の凹凸により形成されたか、屈折率差等により形成されたか等の被検眼のどのような性状に基づき形成されたかを判別すること等を可能にできる。これにより、撮影された被検眼に関するより高度な眼科診断を可能にできるという効果を奏する。
【００６４】
請求項２記載の発明は、撮影しようとする被検眼の部位に対する前記第一の照明光学系による照明と第二の照明光学系による照明とが略均等な条件によりなされるので、前記第一、第二の撮影光学系に得られる前記第一反射像と第二反射像との比較が容易であるという効果を奏する。
【００６５】
請求項３記載の発明は、前記第一、第二の撮影光学系を小型に構成することができるので、眼球撮影装置の全体を小型に構成することができるという効果を奏する。
【００６６】
請求項４記載の発明は、照明用の光源が前記第一の照明光学系と前記第二の照明光学系とに共用されている構成であるので、前記第一、第二の照明光学系を小型に構成することができ、眼球撮影装置の全体を小型に構成することができるという効果を奏する。
【００６７】
請求項５記載の発明は、被検眼に対する前記第一の照明光学系による照射と前記第二の照明光学系による照射とを時間差を設けて行う構成であるので、第一の撮影光学系および第二の撮影光学系の各々に対する、前記第一反射像、第二反射像以外の不要な光を減少させることができる。これにより、第一、第二の撮影光学系により撮影される第一、第二反射像について、より正確なものを得ることができるという効果を奏する。
【図面の簡単な説明】
【図１】本発明の眼球撮影装置の第一の実施形態を示す図である。
【図２】被検眼の撮影部位を示す図である。
【図３】本発明の眼球撮影装置の第二の実施形態を示す図である。
【図４】被検眼の撮影部位を示す図である。
【図５】本発明の眼球撮影装置の第三の実施形態を示す図である。
【図６】本発明の眼球撮影装置の第四の実施形態を示す図である。
【図７】本発明の眼球撮影装置の第五の実施形態を示す図である。
【図８】本発明の眼球撮影装置により得られた撮影画像の一例を示す図である。
【図９】従来の眼球撮影装置の光学系の概略を示す図である。
【図１０】従来の眼球撮影装置により撮影される角膜内皮細胞の撮影画像の一例である。
【符号の説明】
１  …  眼球撮影装置の第一実施形態
２  …  眼球撮影装置の第二実施形態
３  …  眼球撮影装置の第三実施形態
４  …  眼球撮影装置の第四実施形態
５  …  眼球撮影装置の第五実施形態
１１ａ…  （撮影用）第一フラッシュランプ
１１ｂ…  （撮影用）第二フラッシュランプ
１２ａ…  第一照明視野絞り
１２ｂ…  第二照明視野絞り
１３ａ…  第一照明レンズ
１３ｂ…  第二照明レンズ
１４ａ…  第一撮影レンズ
１４ｂ…  第二撮影レンズ
１５ａ−１…コールドミラー
１５ａ−２…反射ミラー
１５ｂ…コールドミラー
１６ａ…  第一撮影視野絞り
１６ｂ…  第二撮影視野絞り
１７ａ、１７ｂ…リレーレンズ
１９ａ…  第一カメラ
１９ｂ…  第二カメラ
２１  …（Ｚ軸方向の位置合わせ用）ランプ装置
２４  …  位置検出センサ
２５  …  ホットミラー
３０Ａ…  第一の照明光学系の光軸（第一実施形態）
３１Ａ…  第一の撮影光学系の光軸（第一実施形態）
３０Ｂ…  第二の照明光学系の光軸（第一実施形態）
３１Ｂ…  第二の撮影光学系の光軸（第一実施形態）
３５  …  被検眼の中心軸
４０Ａ…  第一の照明光学系の光軸（第二実施形態）
４１Ａ…  第一の撮影光学系の光軸（第二実施形態）
４０Ｂ…  第二の照明光学系の光軸（第二実施形態）
４１Ｂ…  第二の撮影光学系の光軸（第二実施形態）
５０  …  被検眼
５１、５２、５３  …  角膜の撮影部位
６０Ａ…  第一の照明光学系、第二の撮影光学系の光軸（第三実施形態）
６１Ａ…  第二の照明光学系、第一の撮影光学系の光軸（第三実施形態）
７０Ａ…  第一照明光の主光線の経路
７１Ａ…  第一の撮影光学系の光軸（第四実施形態）
７０Ｂ…  第二照明光の主光線の経路
７１Ｂ…  第二の撮影光学系の光軸（第四実施形態）
８０Ａ…  第一の照明光学系、第二の撮影光学系の光軸（第五実施形態）
８１Ａ…  第二の照明光学系、第一の撮影光学系の光軸（第五実施形態）
９１  …  角膜内皮の撮影画像における領域
９２  …  角膜内皮の撮影画像における領域
１００…  眼球撮影装置
１３０…  照明光学系の光軸
１３１…  撮影光学系の光軸
１５０…  被検眼
１５１…  被検眼の撮影部位
【図１】
0003776575.tif 000002
【図２】
0003776575.tif 000003
【図３】
0003776575.tif 000004
【図４】
0003776575.tif 000005
【図５】
0003776575.tif 000006
【図６】
0003776575.tif 000007
【図７】
0003776575.tif 000008
【図８】
0003776575.tif 000009
【図９】
0003776575.tif 000010
【図１０】
0003776575.tif 000011